(57)【要約】【課題】  他の無停電電源装置と並列に接続された場合に、それらの負荷分担割合が均等でないことを各装置で検出すること。【解決手段】  無停電電源装置１の検出手段２１は、負荷機器３３へ出力する出力電流を検出する。通信手段２３は、負荷機器３３に対して本装置１と並列に接続される他の無停電電源装置１に接続され、検出手段２１が検出した出力電流の検出情報を、所定のｎ（ｎは１以上の自然数）段のレベルのいずれかのレベル値として他の無停電電源装置１へ送信し、他の無停電電源装置１が送信した出力電流の検出情報を受信する。判定手段２４は、検出手段２１が検出した自身の出力電流の検出情報および通信手段２３が受信した他の無停電電源装置１の出力電流の検出情報に基づいて、複数の出力電流の不均等さを判定する。【選択図】  図１
2006042530.tif 000002
【特許請求の範囲】
【請求項１】
負荷機器への出力電流を検出する検出手段と、
上記負荷機器に対して本装置と並列に接続される他の無停電電源装置に接続され、上記検出手段が検出した出力電流の検出情報を、所定のｎ（ｎは１以上の自然数）段のレベルのいずれかのレベル値として上記他の無停電電源装置へ送信し、上記他の無停電電源装置が送信した出力電流の検出情報を受信する通信手段と、
上記検出手段が検出した自身の出力電流の検出情報および上記通信手段が受信した他の無停電電源装置の出力電流の検出情報に基づいて、複数の出力電流の不均等さを判定する判定手段と、
を有することを特徴とする無停電電源装置。
【請求項２】
負荷機器への出力電流を検出する検出手段と、
上記負荷機器に対して本装置と並列に接続される他の無停電電源装置に接続され、上記検出手段が検出した出力電流の検出情報を、所定のｎ（ｎは１以上の自然数）段のレベルのいずれかのレベル値として上記他の無停電電源装置へ送信し、上記他の無停電電源装置が送信した出力電流の検出情報を受信する通信手段と、
上記検出手段が検出した自身の出力電流の検出情報のレベルから、上記通信手段が受信した他の無停電電源装置の出力電流の最大の検出情報のレベルを減算する演算手段と、
上記演算手段による演算結果が所定のレベル段数より大きい場合には、自分の出力電流が他の無停電電源装置の出力電流に対して不均等であると判定する判定手段と、
上記判定手段により自分の出力電流が不均等であると判定された場合に、当該無停電電源装置を上記負荷機器への給電系統から切り離す制御手段と、
を有することを特徴とする無停電電源装置。
【請求項３】
負荷機器への出力電流を検出する検出手段と、
上記負荷機器に対して本装置と並列に接続される他の無停電電源装置に接続され、上記検出手段が検出した出力電流の検出情報を、所定のｎ（ｎは１以上の自然数）段のレベルのいずれかのレベル値として上記他の無停電電源装置へ送信し、上記他の無停電電源装置が送信した出力電流の検出情報を受信する通信手段と、
上記通信手段が受信した他の無停電電源装置の１または複数の検出情報の示す最小のレベルから、上記検出手段が検出した自身の出力電流の検出情報のレベルを減算する演算手段と、
上記演算手段による演算結果が所定のレベル段数より大きい場合には、自分の出力電流が他の無停電電源装置の出力電流に対して不均等であると判定する判定手段と、
上記判定手段により自分の出力電流が不均等であると判定された場合に、当該無停電電源装置を上記負荷機器への給電系統から切り離す制御手段と、
を有することを特徴とする無停電電源装置。
【請求項４】
負荷機器への出力電流を検出する検出手段と、
上記負荷機器に対して本装置と並列に接続される他の無停電電源装置に接続され、上記検出手段が検出した出力電流の検出情報を、所定のｎ（ｎは１以上の自然数）段のレベルのいずれかのレベル値として上記他の無停電電源装置へ送信し、上記他の無停電電源装置が送信した出力電流の検出値を受信する通信手段と、
上記通信手段が受信した他の無停電電源装置の出力電流の検出情報および上記検出手段が検出した自身の出力電流の検出情報の示すレベルの中の最大のレベルから、それらの中の最小のレベルを減算する演算手段と、
上記演算手段による演算結果が所定のレベル段数より大きい場合には、複数の出力電流が不均等であると判定する判定手段と、
上記判定手段により複数の出力電流が不均等であると判定された場合に、警報を出力する警報手段と、
を有することを特徴とする無停電電源装置。
【請求項５】
前記判定手段は、前記検出手段が検出した自身の出力電流の検出情報および前記通信手段が受信した他の無停電電源装置の出力電流の検出情報に基づいて、自分の出力電流が不均等であると判断しなかった場合に、前記演算手段による演算結果が所定のレベル段数より大きいときには、複数の出力電流が不均等であると判定することを特徴とする請求項４記載の無停電電源装置。
【請求項６】
前記検出手段が検出した出力電流の検出値を、出力電流の検出値に応じた所定のビット数のレベル値へ変換する変換手段を有することを特徴とする請求項２から５の中のいずれか１項記載の無停電電源装置。
【請求項７】
前記通信手段が受信した検出情報のレベル値を記憶する記憶手段を有し、
前記演算手段は、前記記憶手段に記憶されているすべての無停電電源装置のレベル値を繰り返し読み込んで演算し、
前記演算手段による読み込みの度に、上記記憶手段に記憶されているすべてのレベル値を消去する消去手段を設け、
前記通信手段は、前記演算手段による読み込みの繰り返し間隔の半分以下の時間間隔にて、前記他の無停電電源装置が送信した出力電流の検出情報を受信し、
前記検出手段は、前記演算手段による読み込みの繰り返し間隔の半分以下の時間間隔にて、負荷機器への出力電流を検出する、
ことを特徴とする請求項２から５の中のいずれか１項記載の無停電電源装置。
【請求項８】
請求項１から７の中のいずれか１項に記載される複数の無停電電源装置が並列に接続され、
それら複数の無停電電源装置の通信手段が互いに通信可能に接続される、
ことを特徴とする無停電電源装置の並列運転システム。
【発明の詳細な説明】
【技術分野】
【０００１】
本発明は、無停電電源装置および無停電電源装置の並列運転システムに関する。
【背景技術】
【０００２】
特許文献１および特許文献２は、並列冗長電源システムを開示する。これらの並列冗長電源システムは、共通の制御線無しで、各無停電電源装置が完全に独立した制御のもとで並列に接続される。
【０００３】
【特許文献１】特表２０００−５１３５６０（要約書、明細書など）
【特許文献２】特表２０００−５１３４７２（要約書、明細書など）
【発明の開示】
【発明が解決しようとする課題】
【０００４】
上記特許文献１および２に開示されるように、従来、複数の無停電電源装置を並列に接続し、この並列に接続された複数の無停電電源装置から負荷機器へ給電する並列運転方式が開示されている。この並列運転方式にすることで、１つの無停電電源装置では供給することができない電力で動作する負荷機器に対して、無停電の電力を供給することができる。
【０００５】
また、負荷機器に対して、１台以上の余裕を持たせることにより、冗長性のある高信頼度の電源を供給することもできる。
【０００６】
ところで、このように複数の無停電電源装置を並列接続し、これにより１つの無停電電源装置では供給することができない電力を負荷機器へ供給する場合、各無停電電源装置は、負荷機器の消費電力をその並列数で割った電力を供給するものと考えられる。つまり、各無停電電源装置が負担する電力の、負荷機器の消費電力に対する割合（以下、負荷分担割合という。）は、均等であると考えられる。
【０００７】
しかしながら、実際には、完全独立制御により、各無停電電源装置の負荷分担割合を均等にすることは容易なことではない。たとえば並列に接続される複数の無停電電源装置の出力特性にばらつきがあると、各無停電電源装置の負荷分担割合は、均等にならない。そのため、実際に複数の無停電電源装置を並列に接続する場合には、それらの負荷分担割合が均等になるように調整する必要がある。他にもたとえば、各無停電電源装置の出力特性は、無停電電源装置に使用している部品の劣化などによって、経時的に変化する。そのため、複数の無停電電源装置を並列に接続して設置するときにそれらの負荷分担割合が均等になるように調整したとしても、使用しているうちに、各無停電電源装置の負荷分担割合は、均等にならなくなってしまう。
【０００８】
そして、並列に接続される複数の無停電電源装置の負荷分担割合が均等になっていない場合、以下のような問題が発生する可能性がある。すなわち、負荷機器の消費電力が増加すると、負荷分担割合が高い無停電電源装置は、他の無停電電源装置が正常に動作できる状態であったとしても、その出力電流が過剰であると判断してその出力を停止してしまう可能性がある。
【０００９】
また、一部の無停電電源装置がその給電を停止してしまうと、負荷機器に給電する無停電電源装置の個数は、並列に接続している個数より少なくなる。その結果、並列に接続している個数から考えれば給電が可能である消費電力の負荷機器に対して、十分な電力を給電することができなくなってしまう。
【００１０】
本発明は、他の無停電電源装置と並列に接続された場合に、それらの負荷分担割合が均等でないことを各装置で検出することができる無停電電源装置および無停電電源装置の並列運転システムを提供することを目的とする。
【課題を解決するための手段】
【００１１】
本発明に係る無停電電源装置は、負荷機器への出力電流を検出する検出手段と、負荷機器に対して本装置と並列に接続される他の無停電電源装置に接続され、検出手段が検出した出力電流の検出情報を、所定のｎ（ｎは１以上の自然数）段のレベルのいずれかのレベル値として他の無停電電源装置へ送信し、他の無停電電源装置が送信した出力電流の検出情報を受信する通信手段と、検出手段が検出した自身の出力電流の検出情報および通信手段が受信した他の無停電電源装置の出力電流の検出情報に基づいて、複数の出力電流の不均等さを判定する判定手段と、を有するものである。
【００１２】
この構成を採用すれば、無停電電源装置は、並列に接続される複数の無停電電源装置の出力電流の検出情報に基づいて、複数の出力電流の不均等さを判定し、並列に接続される複数の無停電電源装置の負荷分担割合が均等でないことを検出することができる。
【００１３】
本発明に係る他の無停電電源装置は、負荷機器への出力電流を検出する検出手段と、負荷機器に対して本装置と並列に接続される他の無停電電源装置に接続され、検出手段が検出した出力電流の検出情報を、所定のｎ（ｎは１以上の自然数）段のレベルのいずれかのレベル値として他の無停電電源装置へ送信し、他の無停電電源装置が送信した出力電流の検出情報を受信する通信手段と、検出手段が検出した自身の出力電流の検出情報のレベルから、通信手段が受信した他の無停電電源装置の出力電流の最大の検出情報のレベルを減算する演算手段と、演算手段による演算結果が所定のレベル段数より大きい場合には、自分の出力電流が他の無停電電源装置の出力電流に対して不均等であると判定する判定手段と、判定手段により自分の出力電流が不均等であると判定された場合に、当該無停電電源装置を負荷機器への給電系統から切り離す制御手段と、を有するものである。
【００１４】
この構成を採用すれば、無停電電源装置は、検出手段が検出した自身の出力電流の検出情報のレベルと、通信手段が受信した他の無停電電源装置の出力電流の最大の検出情報のレベルとの差が所定のレベル段数より大きくなるほどに不均等になると、自分の出力電流が他の出力電流に対して不均等であると判定して当該無停電電源装置を負荷機器への給電系統から切り離す。
【００１５】
本発明に係る第三の無停電電源装置は、負荷機器への出力電流を検出する検出手段と、負荷機器に対して本装置と並列に接続される他の無停電電源装置に接続され、検出手段が検出した出力電流の検出情報を、所定のｎ（ｎは１以上の自然数）段のレベルのいずれかのレベル値として他の無停電電源装置へ送信し、他の無停電電源装置が送信した出力電流の検出情報を受信する通信手段と、通信手段が受信した他の無停電電源装置の１または複数の検出情報の示す最小のレベルから、検出手段が検出した自身の出力電流の検出情報のレベルを減算する演算手段と、演算手段による演算結果が所定のレベル段数より大きい場合には、自分の出力電流が他の無停電電源装置の出力電流に対して不均等であると判定する判定手段と、判定手段により自分の出力電流が不均等であると判定された場合に、当該無停電電源装置を負荷機器への給電系統から切り離す制御手段と、を有するものである。
【００１６】
この構成を採用すれば、無停電電源装置は、検出手段が検出した自身の出力電流の検出情報のレベルと、通信手段が受信した他の無停電電源装置の検出情報の示す最小のレベルとの差が所定のレベル段数より大きくなるほどに不均等になると、自分の出力電流が他の出力電流に対して不均等であると判定して当該無停電電源装置を負荷機器への給電系統から切り離す。
【００１７】
本発明に係る第四の無停電電源装置は、負荷機器への出力電流を検出する検出手段と、負荷機器に対して本装置と並列に接続される他の無停電電源装置に接続され、検出手段が検出した出力電流の検出情報を、所定のｎ（ｎは１以上の自然数）段のレベルのいずれかのレベル値として他の無停電電源装置へ送信し、他の無停電電源装置が送信した出力電流の検出情報を受信する通信手段と、通信手段が受信した他の無停電電源装置の出力電流の検出情報のレベルおよび検出手段が検出した自身の出力電流の検出情報の示すレベルの中の最大のレベルから、それらの中の最小のレベルを減算する演算手段と、演算手段による演算結果が所定のレベル段数より大きい場合には、複数の出力電流が不均等であると判定する判定手段と、判定手段により複数の出力電流が不均等であると判定された場合に、警報を出力する警報手段と、を有するものである。
【００１８】
この構成を採用すれば、無停電電源装置は、検出手段が検出した自身の出力電流の検出情報の示すレベルおよび通信手段が受信した他の無停電電源装置の検出情報のレベルの中の最大のレベルと最小のレベルとの差が所定のレベル段数より大きくなるほどに不均等になると、それを判定して警報を出力する。
【００１９】
本発明に係る第四の無停電電源装置は、上述した発明に構成に加えて、判定手段が、検出手段が検出した自身の出力電流の検出情報および通信手段が受信した他の無停電電源装置の出力電流の検出情報に基づいて、自分の出力電流が不均等であると判断しなかった場合に、演算手段による演算結果が所定のレベル段数より大きいときには、複数の出力電流が不均等であると判定するものである。
【００２０】
この構成を採用すれば、他の無停電電源装置に出力電流の不均等が発生していることを、警報として出力することができる。
【００２１】
本発明に係る無停電電源装置は、上述した各発明に構成に加えて、検出手段が検出した出力電流の検出値を、出力電流の検出値に応じた所定のビット数のレベル値へ変換する変換手段を有するものである。
【００２２】
この構成を採用すれば、通信手段は所定のビット数のレベル値を受信し、演算手段はその所定のビット数のレベル値を用いて演算する。その結果、出力電流の検出値をそのまま受信したり演算に使用したりする場合にくらべて、データが単純化されているので、通信負荷や演算負荷を軽減することが可能となる。
【００２３】
本発明に係る無停電電源装置は、上述した各発明に構成に加えて、通信手段が受信した検出情報のレベル値を記憶する記憶手段を有し、演算手段が、記憶手段に記憶されているすべての無停電電源装置のレベル値を繰り返し読み込んで演算し、演算手段による読み込みの度に、記憶手段に記憶されているすべてのレベル値を消去する消去手段を設け、通信手段が、演算手段による読み込みの繰り返し間隔の半分以下の時間間隔にて、他の無停電電源装置が送信した出力電流の検出情報を受信し、検出手段が、演算手段による読み込みの繰り返し間隔の半分以下の時間間隔にて、負荷機器への出力電流を検出するものである。
【００２４】
この構成を採用すれば、演算手段が記憶手段に記憶されているすべての無停電電源装置のレベル値を繰り返し読み込んで演算することで、無停電電源装置は、複数の出力電流の不均等さを繰り返し判定することができる。
【００２５】
しかも、消去手段は、演算手段による読み込みの度に記憶手段に記憶されているすべてのレベル値を消去する。また、通信手段は、演算手段による読み込みの繰り返し間隔の半分以下の時間間隔にて、他の無停電電源装置が送信した出力電流の検出情報を受信し、検出手段は、演算手段による読み込みの繰り返し間隔の半分以下の時間間隔にて、負荷機器への出力電流のレベルを検出する。これにより、記憶手段には、前回の読み込み後に、少なくとも２回ずつ各無停電電源装置の出力電流の検出情報が確実に書き込まれる。
【００２６】
その結果、演算手段は、常に、前回の読み込み後の最新の出力電流の検出情報のレベルのセットに基づいて、複数の出力電流の不均等さを正しく判定することができる。また、演算手段は、並列に接続されている複数の無停電電源装置の構成が変更されたとしても、その変更がなされた後の新たな組み合わせの下での複数の出力電流の検出情報のレベルのセットに基づいて、複数の出力電流の不均等さを正しく判定することができる。
【００２７】
本発明に係る無停電電源装置の並列運転システムは、上述した各発明に係る複数の無停電電源装置が並列に接続され、それら複数の無停電電源装置の通信手段が互いに通信可能に接続されるものである。
【００２８】
この構成を採用すれば、並列に接続された複数の無停電電源装置は、それら複数の無停電電源装置の出力電流の検出情報に基づいて、個別に、複数の出力電流の不均等さを判定し、並列に接続される複数の無停電電源装置の負荷分担割合が均等でないことを検出することができる。
【００２９】
また、この構成を採用すれば、各無停電電源装置は、複数の出力電流の不均等さを個別に判定し、且つ、他の無停電電源装置からそれぞれが検出した出力電流を用いて判定するので、このような複数の出力電流の不均等さを判定をするために、負荷機器に供給される総合的な出力電流を検出するための共通の検出手段などを設ける必要がない。その結果、並列運転システムの故障率は、共通の検出手段の故障率によって制限されてしまったりすることなどがなくなり、共通の検出手段などを設けた場合より格段に優れたものとなる。
【発明の効果】
【００３０】
本発明では、他の無停電電源装置と並列に接続された場合に、それらの負荷分担割合が均等でないことを各装置で検出することができる。
【発明を実施するための最良の形態】
【００３１】
以下、本発明の実施の形態に係る無停電電源装置および無停電電源装置の並列運転システムを、図面に基づいて説明する。
【００３２】
図１は、本発明の実施の形態に係る無停電電源装置（ＵＰＳ：Ｕｎｉｎｔｅｒｒｕｐｔｉｂｌｅ  Ｐｏｗｅｒ  Ｓｙｓｔｅｍ）１を示すブロック図である。無停電電源装置１は、一対の入力端子２を有する。一対の入力端子２は、電源切替スイッチ４に接続される。
【００３３】
電源切替スイッチ４は、２つの開閉スイッチ６，７を有する。この２つの開閉スイッチ６，７は、制御信号によってそれぞれ独立に開閉可能である。一方の入力端子２は、この２つの開閉スイッチの中の一方の開閉スイッチ６の一端に接続される。一方の開閉スイッチ６の他端は、レクチュファイヤ８に接続される。
【００３４】
レクチュファイヤ８は、レクチュファイヤ制御部９により制御されることで、交流電圧を直流電圧へ変換する。レクチュファイヤ８の出力は、プラス配線およびマイナス配線に接続される。プラス配線とマイナス配線との間（Ｐ−Ｎ間）には、コンデンサ１０が接続される。
【００３５】
コンデンサ１０の一端、つまりプラス配線は、電源切替スイッチ４の２つの開閉スイッチの中の他方の開閉スイッチ７の一端に接続される。他方の開閉スイッチ７の他端は、バッテリ１１のプラス端子に接続される。バッテリ１１のマイナス端子は、コンデンサ１０の他端、つまりマイナス配線に接続される。
【００３６】
また、コンデンサ１０の両端、つまりプラス配線およびマイナス配線は、インバータ１２に接続される。インバータ１２は、インバータ制御部１３に制御されることで、直流電圧を交流電圧へ変換する。インバータ１２の出力側には、ローパスフィルタ（ＬＰＦ：Ｌｏｗ  Ｐａｓｓ  Ｆｉｌｔｅｒ）１４が接続される。ローパスフィルタ１４は、交流電圧の高周波成分を遮断し、低周波成分を透過する。ローパスフィルタ１４の出力側には、出力側系統切替スイッチ１５が接続される。
【００３７】
出力側系統切替スイッチ１５は、２つの開閉スイッチ１６，１７を有する。この２つの開閉スイッチ１６，１７は、制御信号によってそれぞれ独立に開閉可能である。ローパスフィルタ１４は、この２つの開閉スイッチの中の一方の開閉スイッチ１６の一端に接続される。一方の開閉スイッチ１６の他端は、一対の出力端子１８に接続される。
【００３８】
出力側系統切替スイッチ１５の２つの開閉スイッチの中の他方の開閉スイッチ１７の一端は、一方の入力端子２に接続される。他方の開閉スイッチ１７の他端は、一方の出力端子１８に接続される。
【００３９】
なお、無停電電源装置１に上述した一対の入力端子２とは別の一対の入力端子を設け、この別の一対の入力端子の中の一方の入力端子に、他方の開閉スイッチ１７の他端を接続するようにしてもよい。このように２組の入力端子を設けることで、無停電電源装置１は、入力を二系統にすることができる。
【００４０】
また、本発明の実施の形態に係る無停電電源装置１は、検出手段としての出力電流検出器２１と、表示部２２と、通信手段としてのＣＡＮ通信Ｉ／Ｆ（ＩｎｔｅｒＦａｃｅ）２３と、シーケンス制御部２４と、記憶手段としてのメモリ２５と、を有する。シーケンス制御部２４は、判定手段、演算手段、制御手段、警報手段および変換手段として機能する。
【００４１】
出力電流検出器２１は、一方の出力端子１８に流れる電流を検出する。
【００４２】
表示部２２は、表示データに基づいて、無停電電源装置１の動作状態などを表示する。表示部２２は、表示データに基づいて、たとえば警報を示す文字列を表示する。
【００４３】
ＣＡＮ通信Ｉ／Ｆ２３は、一対の通信端子２６，２７が接続される。ＣＡＮは、「Ｃｏｎｔｒｏｌｌｅｒ  Ａｒｅａ  Ｎｅｔｗｏｒｋ」の略称である。「Ｃｏｎｔｒｏｌｌｅｒ  Ａｒｅａ  Ｎｅｔｗｏｒｋ」はＩＳＯ（Ｉｎｔｅｒｎａｔｉｏｎａｌ  Ｏｒｇａｎｉｚａｔｉｏｎ  Ｆｏｒ  Ｓｔａｎｄａｒｄｉｚａｔｉｏｎ  ）１１９８９およびＩＳＯ１１５１９などとして規格化されている。「Ｃｏｎｔｒｏｌｌｅｒ  Ａｒｅａ  Ｎｅｔｗｏｒｋ」では、複数のＣＡＮ通信Ｉ／Ｆ２３を、ツイストペアーケーブルやフラットケーブルなどを用いてバス接続する。つまり、バスに接続されたあるＣＡＮ通信Ｉ／Ｆ２３が通信データを送出すると、そのバスに接続されているその他すべてのＣＡＮ通信Ｉ／Ｆ２３は、その通信データを受信することが可能となる。このケーブルは、一対の通信端子２６，２７に接続される。無停電電源装置１の一対の通信端子２６，２７の中の一方の通信端子２６を、他の無停電電源装置１の他方の通信端子２７に接続することで、複数の無停電電源装置１は、バス接続される。ＣＡＮ通信Ｉ／Ｆ２３は、バスへ通信データを送信する。ＣＡＮ通信Ｉ／Ｆ２３は、バス上の自分宛て通信データおよびブロードキャストの通信データを受信する。
【００４４】
シーケンス制御部２４は、無停電電源装置１の動作状態を制御する。シーケンス制御部２４は、電源切替スイッチ４、レクチュファイヤ制御部９、インバータ制御部１３および出力側系統切替スイッチ１５に接続され、これらへ制御信号を出力する。シーケンス制御部２４は、表示部２２に接続され、表示部２２へ表示データを出力する。シーケンス制御部２４は、ＣＡＮ通信Ｉ／Ｆ２３に接続され、ＣＡＮ通信Ｉ／Ｆ２３が送受する通信データを、ＣＡＮ通信Ｉ／Ｆ２３との間で入出力する。
【００４５】
図１に示す無停電電源装置１は、単体で使用することができるものであるが、複数台を並列に接続して使用することもできる。図２は、複数の図１の無停電電源装置１を並列に接続した無停電電源装置の並列運転システム３１を示すブロック図である。
【００４６】
複数の無停電電源装置１を並列に接続する場合、各無停電電源装置１の一対の入力端子２は、交流電源３２に接続される。各無停電電源装置１の一対の出力端子１８は、負荷機器３３に接続される。これにより、複数の無停電電源装置１は、並列に接続される。
【００４７】
また、複数の無停電電源装置１を並列に接続する場合、無停電電源装置１の一対の通信端子２６，２７の中の一方の通信端子２６は、ケーブル３４により、その隣に位置する無停電電源装置１の他方の通信端子２７に接続される。これにより、複数の無停電電源装置１は、バス接続される。各無停電電源装置１は、その他の無停電電源装置１と通信データを送受することができる。
【００４８】
次に、以上のように、複数の無停電電源装置１を並列に接続した場合の動作について説明する。
【００４９】
たとえば、複数の無停電電源装置１は、交流電源３２が正常な波形の交流電圧を出力している状況で起動されるものとする。各無停電電源装置１では、シーケンス制御部２４が制御信号を出力する。シーケンス制御部２４からの制御信号にしたがって、電源切替スイッチ４の一方の開閉スイッチ６および出力側系統切替スイッチ１５の一方の開閉スイッチ１６が閉じ、レクチュファイヤ制御部９およびインバータ制御部１３が動作を開始する。これにより、各無停電電源装置１は、一対の入力端子２に入力される交流電源３２の交流電圧を、レクチュファイヤ８により直流電圧へ変換し、さらに、その直流電圧をインバータ１２により別の交流電圧へ変換する。この別の交流電圧は、一対の出力端子１８から負荷機器３３へ出力される。負荷機器３３は、この複数の無停電電源装置１から出力される交流電圧による電力で動作する。以下、この動作をインバータ給電モードとよぶ。
【００５０】
なお、このインバータ給電モードにおいて、インバータ制御部１３は、たとえば、交流電圧の周波数より高い周波数でインバータ１２の図示外のスイッチング素子をスイッチングする。スイッチング素子がオン状態とオフ状態とで切り替えられることで、インバータ１２の出力段に接続されている図示外のコイルは、コンデンサ１０に接続されたり、コンデンサ１０から切り離されたりする。コイルには、高い電圧が発生する。
【００５１】
インバータ制御部１３は、基本的に、コイルにより生成されるインバータの出力電圧の瞬時値が、図示外の基準となる正弦波となるように、インバータ１２のスイッチング素子の瞬時的なオン期間およびオフ期間を制御する。また、インバータ制御部１３は、入力電圧の位相および周波数に追従するようにインバータ１２のスイッチング素子を制御する。ローパスフィルタ１４は、インバータ１２の出力電圧からスイッチングに伴う高周波成分を取り除く。このような制御によって、別の交流電圧が生成される。この別の交流電圧は、略正弦波の交流電圧となり、一般的に、商用電源から供給される交流電圧より電力の品質がよい。この別の交流電圧は、交流電源３２の交流電圧に同期する。
【００５２】
つまり、インバータ制御部１３は、ローパスフィルタ１４から正弦波の電圧が出力されるようにインバータ１２を制御する。
【００５３】
また、各無停電電源装置１のシーケンス制御部２４は、インバータ給電モードで動作しているときには、電源切替スイッチ４へ、他方の開閉スイッチ７を閉じる制御信号を出力する。他方の開閉スイッチ７が閉じると、コンデンサ１０がバッテリ１１に接続される。これにより、バッテリ１１は、浮動充電される。
【００５４】
そして、たとえば停電などによって一対の入力端子２に入力される交流電圧が正常なものでなくなると、各無停電電源装置１のシーケンス制御部２４は、レクチュファイヤ制御部９へ交直変換処理を停止させる制御信号を出力するとともに、電源切替スイッチ４へ一方の開閉スイッチ６を開き且つ他方の開閉スイッチ７を閉じる制御信号を出力する。これにより、コンデンサ１０には、バッテリ１１の蓄電電圧が供給され、インバータ１２は、このバッテリ１１の蓄電電圧を交流電圧へ変換して出力する。この交流電圧は、一対の出力端子１８から負荷機器３３へ印加される。その結果、複数の無停電電源装置１より交流電源３２側において停電などの異常が発生したとしても、複数の無停電電源装置１から負荷機器３３へは、交流電圧が印加され続け、負荷機器３３は、動作し続ける。以下、この動作をバッテリ給電モードとよぶ。
【００５５】
また、たとえば、インバータ給電モードあるいはバッテリ給電モードで動作しているときに、一対の入力端子２に入力される交流電圧が正常であるにもかかわらず一対の出力端子１８から所望の波形の交流電圧を出力することができなくなると、各無停電電源装置１のシーケンス制御部２４は、レクチュファイヤ制御部９およびインバータ制御部１３へ停止させる制御信号を出力し、電源切替スイッチ４へ一方の開閉スイッチ６および他方の開閉スイッチ７を開く制御信号を出力し、出力側系統切替スイッチ１５へ一方の開閉スイッチ１６を開き且つ他方の開閉スイッチ１７を閉じる制御信号を出力する。これにより、各無停電電源装置１は、一対の入力端子２に入力される交流電圧を、そのまま一対の出力端子１８から印加する。その結果、レクチュファイヤ８からインバータ１２までの間の回路が故障などしたとしても、複数の無停電電源装置１から負荷機器３３へは、交流電圧が印加され続け、負荷機器３３は、動作し続ける。以下、この動作をバイパス給電モードとよぶ。
【００５６】
以上のように、各無停電電源装置１は、そのシーケンス制御部２４が無停電電源装置１の動作モードを、インバータ給電モード、バッテリ給電モードおよびバイパス給電モードの間で切り換えることで、負荷機器３３へ継続的に電力を供給し続ける。負荷機器３３は、複数の無停電電源装置１から供給される電力で、継続的に動作することができる。
【００５７】
各無停電電源装置１のシーケンス制御部２４は、上述するようにそれぞれの無停電電源装置１の動作モードを制御する。また、各無停電電源装置１のシーケンス制御部２４は、それぞれの無停電電源装置１について、各種の異常の検出処理および異常時の制御処理を実行する。
【００５８】
図３は、図１中のシーケンス制御部２４がたとえば略１０ミリ秒毎に実行する出力電流検出処理を示すフローチャートである。図４は、図１中のシーケンス制御部２４が、他のシーケンス制御部２４から通信データを受信したときに実行する受信処理を示すフローチャートである。図５は、図１中のシーケンス制御部２４がたとえば略１００ミリ秒毎に実行する出力電流異常判定処理を示すフローチャートである。
【００５９】
図３に示す出力電流検出処理において、シーケンス制御部２４は、まず、出力電流検出器２１が検出する出力電流の値を取得する（ステップＳＴ１）。
【００６０】
出力電流の値の取得処理をした後、シーケンス制御部２４は、取得した出力電流の値が異常な電流であるか否かの判断をする（ステップＳＴ２）。たとえば、シーケンス制御部２４は、取得した出力電流の値がマイナスである場合には、異常であると判断する。他にもたとえば、シーケンス制御部２４は、取得した出力電流の値が定格電流の１２５％以上である場合には、異常であると判断する。なお、シーケンス制御部２４は、この定格電流の１２５％以上ではなくて、定格電流の１５０％以上である場合には、異常であると判断するようにしてもよい。
【００６１】
取得した出力電流の値が異常な電流であると判断した場合、シーケンス制御部２４は、その判断に応じた異常時の制御処理を実行する（ステップＳＴ３）。シーケンス制御部２４は、異常時の制御処理として、たとえば、レクチュファイヤ制御部９およびインバータ制御部１３へ停止させる制御信号を出力し、電源切替スイッチ４へ一方の開閉スイッチ６および他方の開閉スイッチ７を開く制御信号を出力し、出力側系統切替スイッチ１５へ一方の開閉スイッチ１６および他方の開閉スイッチ１７を開く制御信号を出力する。これにより、シーケンス制御部２４が出力電流の異常であると判断した無停電電源装置１からの給電は、停止する。以下、この制御状態を給電停止状態とよぶ。
【００６２】
なお、シーケンス制御部２４は、取得した出力電流の値が定格電流の１１０％以上である場合には、異常であると判断して、無停電電源装置１の動作モードを他の動作モードからバイパス給電モードへ強制的に切り換えるようにしてもよい。
【００６３】
取得した出力電流の値が異常な電流であると判断しなかった場合、および、取得した出力電流の値が異常な電流であるとの判断に基づく所定の異常時の制御処理を実行した後、シーケンス制御部２４は、取得した出力電流の値をレベル値へ変換する（ステップＳＴ４）。この実施の形態１では、定格電流の０％から１００％を１２．５％毎に８段階（１〜８）のレベル値に対応付けている。８段階のレベル値は、３ビットの情報量となる。たとえば、取得した出力電流の値が定格電流の０％から１２．５％の範囲内の値である場合には、シーケンス制御部２４は、取得した出力電流の値をレベル「１」へ変換する。他にもたとえば、取得した出力電流の値が定格電流の８７．５％から１００％の範囲内の値である場合には、シーケンス制御部２４は、取得した出力電流の値をレベル「８」へ変換する。なお、レベル分けは、８段階に限られない。７段階以下の所定のビット数となるレベルに分けるようにしても、９段階以上の所定のビット数となるレベルに分けるようにしてもよい。ただし、レベル数を２のｎ乗（ｎは整数）とすると、全ビットが有効に使用される。
【００６４】
取得した出力電流の値をレベル値へ変換した後、シーケンス制御部２４は、そのレベル値を通信データとしてのＣＡＮ通信Ｉ／Ｆ２３へ出力する（ステップＳＴ５）。ＣＡＮ通信Ｉ／Ｆ２３は、入力されたレベル値をブロードキャストの通信データとしてバスへ送信する。また、シーケンス制御部２４は、自分のレベル値をメモリ２５に保存する（ステップＳＴ６）。
【００６５】
バスに接続されているその他の無停電電源装置１では、ＣＡＮ通信Ｉ／Ｆ２３がレベル値の通信データを受信する。ＣＡＮ通信Ｉ／Ｆ２３がレベル値の通信データを受信すると、その無停電電源装置１のシーケンス制御部２４は、図４に示す受信処理を実行する。シーケンス制御部２４は、まず、ＣＡＮ通信Ｉ／Ｆ２３が受信した受信データ、たとえばＣＡＮ通信Ｉ／Ｆ２３が受信した他の無停電電源装置１のレベル値を取得する（ステップＳＴ１１）。次に、シーケンス制御部２４は、取得した他の無停電電源装置１のレベル値をメモリ２５に保存する（ステップＳＴ１２）。
【００６６】
このようにバスに接続される各無停電電源装置１は、たとえば略１０ミリ秒の周期で図３に示す出力電流検出処理を実行し、自分の出力電流のレベル値をバスへ送信し、且つ、メモリ２５へ保存する。バスに接続される各無停電電源装置１は、他の無停電電源装置１がバスに送信したそれぞれの出力電流のレベル値を受信し、メモリ２５に保存する。
【００６７】
したがって、各無停電電源装置１のメモリ２５には、自分の出力電流のレベル値と、バスを介して接続されている他のすべての無停電電源装置１の出力電流のレベル値とが保存される。また、このメモリ２５に記憶される各無停電電源装置１のレベル値は、通信エラーなどが生じない限り、略１０ミリ秒毎に更新される。なお、各無停電電源装置１は、少なくとも自分のレベル値とその他の装置のレベル値とが区別できるように、複数のレベル値を、無停電電源装置１毎に固有の番号などを対応付けてテーブル化して保存する。
【００６８】
図５に示す出力電流異常判定処理において、シーケンス制御部２４は、まず、メモリ２５に保存されている他のすべての無停電電源装置１のレベル値を読み込む（ステップＳＴ２１）。そして、シーケンス制御部２４は、読み込んだ他のすべての無停電電源装置１のレベル値の中から、最大のレベル値と最小のレベル値とを抽出する（ステップＳＴ２２）。
【００６９】
他のすべての無停電電源装置１における最大のレベル値および最小のレベル値を抽出したら、シーケンス制御部２４は、自分のレベル値からその最大のレベル値を減算する。シーケンス制御部２４は、その減算結果が５以上であるか否かを判断する（ステップＳＴ２３）。減算結果が５以上である場合には、シーケンス制御部２４は、給電停止処理を実行する（ステップＳＴ２４）。これにより、異常と判断した無停電電源装置１は、給電停止状態になる。
【００７０】
減算結果が５以上でない場合、シーケンス制御部２４は、他の無停電電源装置１の最小のレベル値から自分のレベル値を減算する。シーケンス制御部２４は、その減算結果が５以上であるか否かを判断する（ステップＳＴ２５）。減算結果が５以上である場合には、シーケンス制御部２４は、給電停止処理を実行する（ステップＳＴ２６）。これにより、異常と判断した無停電電源装置１は、給電停止状態になる。
【００７１】
ステップＳＴ２５での減算結果が５以上でない場合には、シーケンス制御部２４は、さらに、自分のレベル値からその最大のレベル値を減算した減算結果が２以上であるか否かを判断する（ステップＳＴ２７）。減算結果が２以上である場合には、シーケンス制御部２４は、その減算結果が２以上である状態が所定時間（たとえば５秒）以上継続して発生しているか否かを判断する（ステップＳＴ２８）。そして、所定時間以上継続して発生している場合には、シーケンス制御部２４は、異常であると判断し、表示部２２へ表示データを出力し、表示部２２に警報を表示させる（ステップＳＴ２９）。これにより、自分が異常であると判断した無停電電源装置１の表示部２２には、警報が表示される。また、シーケンス制御部２４は、ＣＡＮ通信Ｉ／Ｆ２３に自分の異常を検出したことを通知させる（ステップＳＴ３０）。
【００７２】
減算結果が５以上でない場合には、シーケンス制御部２４は、さらに、他の無停電電源装置１の最小のレベル値から自分のレベル値を減算した減算結果が２以上であるか否かを判断する（ステップＳＴ３１）。減算結果が２以上である場合には、シーケンス制御部２４は、その減算結果が２以上である状態が所定時間（たとえば５秒）以上継続して発生しているか否かを判断する（ステップＳＴ３２）。そして、所定時間以上継続して発生している場合には、シーケンス制御部２４は、異常であると判断し、表示部２２へ表示データを出力し、表示部２２に警報を表示させる（ステップＳＴ３３）。これにより、自分が異常であると判断した無停電電源装置１の表示部２２には、警報が表示される。また、シーケンス制御部２４は、ＣＡＮ通信Ｉ／Ｆ２３に自分の異常を検出したことを通知させる（ステップＳＴ３４）。
【００７３】
減算結果が２以上でない場合、シーケンス制御部２４は、次に、シーケンス制御部２４は、すべてのレベル値（自分のレベル値を含む）から、その中で最大のレベル値と、その中で最小のレベル値とを抽出する。シーケンス制御部２４は、その最大のレベル値から最小のレベル値を減算する。シーケンス制御部２４は、その減算結果が２以上であるか否かを判断する（ステップＳＴ３５）。
【００７４】
すべての装置の中での最大のレベル値から最小のレベル値を減算した結果が２以上である場合、シーケンス制御部２４は、さらに、その減算結果が２以上である状態が所定時間（たとえば５秒）以上継続して発生しているか否かを判断する（ステップＳＴ３６）。そして、所定時間以上継続して発生している場合には、シーケンス制御部２４は、他の無停電電源装置１からのその無停電電源装置１の異常を伝える通知が来ているか否かを確認する（ステップＳＴ３７）。その通知が来ていない場合には、シーケンス制御部２４は、異常であると判断し、表示部２２へ表示データを出力し、表示部２２に警報を表示させる（ステップＳＴ３８）。これにより、全体での判定処理に基づいて異常と判断した無停電電源装置１の表示部２２には、警報が表示される。
【００７５】
すべての装置の中での最大のレベル値から最小のレベル値を減算した結果が２以上でない場合、および、他の無停電電源装置１からのその無停電電源装置１の異常を伝える通知が来ている場合には、シーケンス制御部２４は、処理を終了する。この場合、無停電電源装置１の表示部２２には、警報が表示されない。
【００７６】
図６は、第一の無停電電源装置Ａと、第二の無停電電源装置Ｂと、第三の無停電電源装置Ｃとを並列に接続している場合において、出力電流のレベル値の組み合わせパターンの例と、それぞれのパターンでの異常時処理との関係を示す図である。なお、無停電電源装置Ａ，Ｂ，Ｃは、上述の無停電電源装置１と同様のものである。
【００７７】
図６において一番上に記載されている第一のパターンでは、第一の無停電電源装置Ａの出力電流のレベル値は「６」であり、第二の無停電電源装置Ｂの出力電流のレベル値は「１」であり、第三の無停電電源装置Ｃの出力電流のレベル値は「１」である。
【００７８】
この第一のパターンでは、第一の無停電電源装置Ａは、自分のレベル値が「６」であり、その他の２つの無停電電源装置Ｂ，Ｃのレベル値がともに「１」であるので、ステップＳＴ２３の判定処理の結果として給電停止処理（ステップＳＴ２４）を実行する。第二の無停電電源装置Ｂは、自分のレベル値が「１」でありその他の２つの無停電電源装置Ａ，Ｃのレベル値が「６」および「１」であるのでステップＳＴ３５において一旦は異常を検出するが、その状態が所定の時間継続する前にレベル値が「６」である第一の無停電電源装置Ａが停止するので、給電停止や警報表示などの異常処理をしない。第三の無停電電源装置Ｃは、自分のレベル値が「１」でありその他の２つの無停電電源装置Ａ，Ｂのレベル値が「６」および「１」であるのでステップＳＴ３５において一旦は異常を検出するが、その状態が所定の時間継続する前にレベル値が「６」である第一の無停電電源装置Ａが停止するので、給電停止や警報表示などの異常処理をしない。
【００７９】
図６において上から二番目に記載されている第二のパターンでは、第一の無停電電源装置Ａの出力電流のレベル値は「１」であり、第二の無停電電源装置Ｂの出力電流のレベル値は「３」であり、第三の無停電電源装置Ｃの出力電流のレベル値は「３」である。
【００８０】
この第二のパターンでは、第一の無停電電源装置Ａは、自分のレベル値が「１」であり、その他の２つの無停電電源装置Ｂ，Ｃのレベル値がともに「３」であるので、ステップＳＴ３１の判断結果として警報を表示する（ステップＳＴ３３）。第二の無停電電源装置Ｂおよび第三の無停電電源装置Ｃは、自分のレベル値が「３」であり、その他の２つの無停電電源装置１のレベル値が「１」および「３」であるので、ステップＳＴ３５において一旦は異常を検出するが、自分が異常であると判断した旨の通知が第一の無停電電源装置Ａから来るので、給電停止や警報表示などの異常処理をしない。
【００８１】
図６において上から三番目に記載されている第三のパターンでは、第一の無停電電源装置Ａの出力電流のレベル値は「１」であり、第二の無停電電源装置Ｂの出力電流のレベル値は「２」であり、第三の無停電電源装置Ｃの出力電流のレベル値は「３」である。
【００８２】
この第三のパターンでは、第一の無停電電源装置Ａ、第二の無停電電源装置Ｂおよび第三の無停電電源装置Ｃは、ステップＳＴ３５の判断結果が「Ｙｅｓ」である状態が所定の時間以上継続することになるので、しかも、他の無停電電源装置からの通知が来ることがないので、警報を発生する（ステップＳＴ３８）。
【００８３】
図６において上から四番目に記載されている第四のパターンでは、第一の無停電電源装置Ａの出力電流のレベル値は「１」であり、第二の無停電電源装置Ｂの出力電流のレベル値は「１」であり、第三の無停電電源装置Ｃの出力電流のレベル値は「２」である。
【００８４】
この第四のパターンでは、第一の無停電電源装置Ａ、第二の無停電電源装置Ｂおよび第三の無停電電源装置Ｃは、最大値判定処理（ステップＳＴ２２）、最小値判定処理（ステップＳＴ２４）および全体判定処理（ステップＳＴ２５）のすべての判定において異常と判定しない。つまり、出力電流が不均等であるとは判断しない。したがって、第一の無停電電源装置Ａ、第二の無停電電源装置Ｂおよび第三の無停電電源装置Ｃは、異常時の処理（ステップＳＴ２３およびＳＴ２６）を実行しない。
【００８５】
以上のように、この実施の形態に係る無停電電源装置１は、並列に接続される複数の無停電電源装置１の出力電流の検出値に基づいて、複数の出力電流の不均等さを判定し、並列に接続される複数の無停電電源装置１の負荷分担割合が均等でないことを各装置１で検出することができる。
【００８６】
しかも、この実施の形態に係る無停電電源装置１は、出力電流検出器２１が検出した自身の出力電流の検出値と、ＣＡＮ通信Ｉ／Ｆ２３が受信した他の無停電電源装置１の出力電流の最大の検出値との差が所定の値（レベル値の差として２）より大きくなると、自分の出力電流が他の出力電流に対して不均等であると判定して負荷機器３３への給電を停止する。また、この実施の形態に係る無停電電源装置１は、出力電流検出器２１が検出した自身の出力電流の検出値と、ＣＡＮ通信Ｉ／Ｆ２３が受信した他の無停電電源装置１の出力電流の最小の検出値との差が所定の値（レベル値の差として２）より大きくなると、自分の出力電流が他の出力電流に対して不均等であると判定して負荷機器３３への給電を停止する。さらに、この実施の形態に係る無停電電源装置１は、上述した自身の出力電流の不均等さを判定した後に、出力電流検出器２１が検出した自身の出力電流の検出値およびＣＡＮ通信Ｉ／Ｆ２３が受信した他の無停電電源装置１の出力電流の中の最大の検出値と最小の検出値との差が所定の値（レベル値の差として２）より大きくなると、それを判定して警報を発生する。なお、これらの判定において、判定に使用する所定の値は、レベル値の差として２となる以外の値であってもよい。たとえば、レベル値の差として３となる値を判定に使用する値としてもよい。
【００８７】
そして、自分の出力電流のレベル値に基づいて自分に異常があると判断した無停電電源装置１は停止し、あるいは、異常を表示して警報を発生する。したがって、その異常が発生した無停電電源装置を簡単に識別することができる。また、すべての無停電電源装置１のバランスが悪いときには、稼動しているすべての無停電電源装置１が警報を表示する。したがって、すべての無停電電源装置の表示状態を確認することで、出力電流のアンバランスなどが生じていることを把握することができる。
【００８８】
また、この実施の形態に係る無停電電源装置１は、ＣＡＮ通信Ｉ／Ｆ２３は３ビットのレベル値を受信し、シーケンス制御部２４はその３ビットのレベル値を用いて演算する。その結果、出力電流の検出値をそのまま受信したり演算に使用したりする場合にくらべて、データが単純化されているので、通信負荷や演算負荷を軽減することが可能となる。その結果、この実施の形態に係る無停電電源装置１のように、判定処理の周期（ここでは１００ミリ秒）より短い周期（ここでは１０ミリ秒）で、各無停電電源装置１が出力電流の検出値を送信することが可能となる。
【００８９】
また、この実施の形態に係る無停電電源装置１は、シーケンス制御部２４がメモリ２５に記憶されているすべての無停電電源装置１のレベル値を繰り返し読み込んで演算することで、無停電電源装置１は、並列に接続されている複数の無停電電源装置１の複数の出力電流の不均等さを繰り返し判定することができる。その結果、シーケンス制御部２４は、常に、前回の読み込み後の最新の出力電流の検出値のセットに基づいて、複数の出力電流の不均等さを正しく判定することができる。
【００９０】
この実施の形態に係る無停電電源装置１の並列運転システム３１では、各無停電電源装置１は、複数の出力電流の不均等さを個別に判定し、且つ、他の無停電電源装置１からそれぞれが検出した出力電流を用いて判定する。したがって、このような複数の出力電流の不均等さを判定をするために、負荷機器３３に供給される総合的な出力電流を検出するための共通の出力電流検出器２１などを設ける必要がない。その結果、並列運転システム３１の故障率は、その共通の出力電流検出器２１の故障率によって制限されてしまったりすることなどがなくなり、その共通の出力電流検出器２１などを設けた場合より格段に優れたものとなる。
【００９１】
以上の実施の形態は、本発明の好適な実施の形態の例であるが、本発明は、これに限定されるものではなく、種々の変形、変更が可能である。
【００９２】
たとえば上記実施の形態では、シーケンス制御部２４は、図３の出力電流検出処理において、定格電流の０％〜１００％である出力電流の値をレベル値へ変換している。この他にもたとえば、シーケンス制御部２４は、定格電流の０％以下である出力電流の値や、定格電流の１００％以上である出力電流の値もレベル値へ変換するようにしてもよい。そして、たとえば、シーケンス制御部２４は、取得した自分の出力電流の値が定格電流の０％以下である場合には「−２」以下のレベル値へ変換し、取得した自分の出力電流の値が定格電流の１００％以上である場合には「１０」以上のレベル値へ変換するようにすることで、シーケンス制御部２４は、図５に示す最大値判定処理（ステップＳＴ２２）および最小値判定処理（ステップＳＴ２４）において自分が異常であると判定することができる。そして、シーケンス制御部２４は、その異常判定に基づいて停止処理（ステップＳＴ２３）を実行することができる。
【００９３】
したがって、このように取得した自分の出力電流の値が定格電流の０％以下である場合には「−２」以下のレベル値へ変換し、取得した自分の出力電流の値が定格電流の１００％以上である場合には「１０」以上のレベル値へ変換するようにした場合には、シーケンス制御部２４は、図３の出力電流検出処理において、取得した出力電流の値に基づく異常判定および停止処理（ステップＳＴ２およびＳＴ３）を実行しなくとも、図５に示す出力電流異常判定処理において異常と判定して無停電電源装置１の停止処理を実行することができる。並列運転システム３１に専用に使用する無停電電源装置１であれば、このような構成としてもよい。
【００９４】
上記実施の形態では、シーケンス制御部２４は、メモリ２５に保存されている複数のレベル値を読み込んだ（ステップＳＴ２１）後に、読み込んだ複数のレベル値を用いて異常判定および異常時の制御（ステップＳＴ２２〜ＳＴ２６）を実行している。この他にもたとえば、消去手段としてのシーケンス制御部２４が、メモリ２５に保存されている複数のレベル値を読み込んだ（ステップＳＴ２１）後に、メモリ２５からすべてのレベル値を削除し、その削除後に、読み込んだ複数のレベル値を用いて異常判定および異常時の制御（ステップＳＴ２２〜ＳＴ２６）を実行するようにしてもよい。
【００９５】
これにより、メモリ２５は、１００ミリ秒毎にクリアされ、その後の１００ミリ秒の間に、その期間において受信した出力電流のレベル値を記憶することになる。各無停電電源装置１は、１０ミリ秒毎にそれぞれの検出電流のレベル値を送信している。したがって、たとえば、並列に接続されている複数の無停電電源装置１の中から異常になった無停電電源装置１を切り離した場合や、並列に接続されている複数の無停電電源装置１に新たな無停電電源装置１を追加した場合であっても、各無停電電源装置１のメモリ２５に記憶される複数の検出電流のレベル値は、それらのメンテナンス作業に追従して動的に変化することになる。メモリ２５に記憶されている複数の出力電流のレベル値は、そのときに並列に接続されている複数の無停電電源装置１と対応する状態に維持される。無停電電源装置１を追加したり削除したりする度に、その他の無停電電源装置１のメモリ２５のメンテナンス作業などをする必要が無くなる。
【００９６】
しかも、メモリ２５には、前回の読み込み後に、その後に検出した新たな無停電電源装置１の出力電流の検出値が確実に書き込まれる（ステップＳＴ１１およびＳＴ１２）。そのため、シーケンス制御部２４は、故障した無停電電源装置１を取り外したり、あらたな無停電電源装置１を追加したりすることによって、並列に接続されている複数の無停電電源装置１の構成が変更されたとしても、各無停電電源装置１は、その変更がなされた後の新たな組み合わせの下での複数の出力電流の検出値のセットに基づいて、複数の出力電流の不均等さを正しく判定することができる。
【００９７】
上記実施の形態では、各無停電電源装置１は、出力電流の不均等さが生じた場合に、表示部２２に異常を表示している。この他にもたとえば、各無停電電源装置１は、出力電流の不均等さを検出した場合に、ネットワークを通じてその警報を送信するようにしてもよい。これにより、複数の無停電電源装置１が設置された場所から離れた遠隔地などにおいて、複数の無停電電源装置１の出力電流に不均等さが生じていることを知ることができ、複数の無停電電源装置１のメンテナンスを速やかに実行することができる。その結果、複数の無停電電源装置１の出力電流の不均等さを放置していたことに起因する無停電電源装置１の停止などを効果的に防止することができる。
【００９８】
上記実施の形態では、レクチュファイヤ制御部９、インバータ制御部１３およびシーケンス制御部２４は、ディスクリート素子などを組み合わせることで実現されていても、あるいは、ＡＤコンバータやＤＡインバータなどを有するマイクロコンピュータと、そのマイクロコンピュータにて実行されるコンピュータ読み取り可能なプログラムとの組み合わせとして実現されていてもよい。
【産業上の利用可能性】
【００９９】
本発明に係る無停電電源装置は、交流電源と負荷機器との間に接続して使用することができる。
【図面の簡単な説明】
【０１００】
【図１】図１は、本発明の実施の形態に係る無停電電源装置を示すブロック図である。
【図２】図２は、複数の図１の無停電電源装置を並列に接続した並列運転システムを示すブロック図である。
【図３】図３は、図１中のシーケンス制御部が略１０ミリ秒毎に実行する出力電流検出処理を示すフローチャートである。
【図４】図４は、図１中のシーケンス制御部が、他のシーケンス制御部から通信データを受信したときに実行する受信処理を示すフローチャートである。
【図５】図５は、図１中のシーケンス制御部が１００ミリ秒毎に実行する出力電流異常判定処理を示すフローチャートである。
【図６】図６は、第一の無停電電源装置Ａと、第二の無停電電源装置Ｂと、第三の無停電電源装置Ｃとを並列に接続している場合において、出力電流のレベル値の組み合わせパターンの例と、それぞれのパターンでの異常時処理との関係を示す図である。
【符号の説明】
【０１０１】
１  無停電電源装置
２１  出力電流検出器（検出手段）
２３  ＣＡＮ通信Ｉ／Ｆ（通信手段）
２４  シーケンス制御部（判定手段、演算手段、制御手段、警報手段、変換手段、消去手段）
２５  メモリ（記憶手段）
３１  無停電電源装置の並列運転システム
３３  負荷機器
【図１】
2006042530.tif 000003
【図２】
2006042530.tif 000004
【図３】
2006042530.tif 000005
【図４】
2006042530.tif 000006
【図５】
2006042530.tif 000007
【図６】
2006042530.tif 000008